(57)【特許請求の範囲】
【請求項１】
複数の繊維を含む断熱材を固定する方法であって、前記方法は、
前記複数の繊維の一部と、第一のバンドル構造物及び第二のバンドル構造物の長手方向軸に概ね沿って延びる繊維の長手方向軸と、をそれぞれ含むように前記第一のバンドル構造物（２３０；３３０）及び前記第二のバンドル構造物（２３０；３３０）を形成するために、前記複数の繊維の少なくとも一部（２２０）を配置することと、
前記第一のバンドル構造物の長手方向軸及び前記第二のバンドル構造物の長手方向軸が概ね同じ方向に延び、前記第一のバンドル構造物及び前記第二のバンドル構造物は第一の生地層（３４０）と第二の生地層（３５０）の中間に配置され、前記第一のバンドル構造物及び前記第二のバンドル構造物の短手方向において前記第一のバンドル構造物及び前記第二のバンドル構造物が交互に連続して並ぶように、互いに並びかつ互いに孤立していない各バンドルチャネルに、前記第一のバンドル構造物または前記第二のバンドル構造物を保持することと、
前記第一のバンドル構造物の前記長手方向軸及び前記第二のバンドル構造物の前記長手方向軸に対して概ね横断する第一のキルティングステッチ線（１０２，３０２）を形成することと、を備え、
前記第一のキルティングステッチ線は、前記第一のキルティングステッチ線と平行な方向において前記第一のバンドル構造物及び前記第二のバンドル構造物の少なくとも１つを前記第一のキルティングステッチ線によって固定するために、前記第一のバンドル構造物及び前記第二のバンドル構造物の少なくとも一つを、前記第一の生地層及び前記第二の生地層の少なくとも一つに結びつけることを特徴とする方法。
【請求項２】
前記方法はさらに、
第一の生地層の一部（３４０）と第二の生地層の一部（３５０）とによって定義され、バンドルチャネル長手方向軸を含む、少なくとも１つのバンドルチャネル（３８０）を形成することと、
前記第一のバンドル構造物が前記第一の生地層と前記第二の生地層の中間に配置されて、前記第一のバンドル構造物の長手方向軸が前記バンドルチャネル長手方向軸と概ね平行となるように、前記第一のバンドル構造物（３３０）を前記少なくとも１つのバンドルチャネル内で少なくとも部分的に保持することと、を含むことを特徴とする、請求項１に記載の方法。
【請求項３】
少なくとも１つのバンドルチャネル（３８０）は、バンドルチャネル長手方向軸と概ね平行な複数のバンドルチャネルキルティングステッチ線によって形成され、前記複数のバンドルチャネルキルティングステッチ線（１０２，３０２）は、前記第一の生地層（３４０）と前記第二の生地層（３５０）を結びつけ、前記バンドルチャネルキルティングステッチ線の長さは、少なくとも１つの前記バンドルチャネルの側の長さに達しないことを特徴とする、請求項１に記載の方法。
【請求項４】
前記方法はさらに、前記複数の繊維のロフト又は、前記第一の生地層と前記第二の生地層から構成される衣服の耐久性のうち、少なくとも１つに基づく所定の距離だけ、前記第一のキルティングステッチ線（１０２，３０２）から離隔して設けられる第二のキルティングステッチ線を形成することを含むことを特徴とする、請求項１に記載の方法。
【請求項５】
前記所定の距離は、２インチから４インチであることを特徴とする、請求項４に記載の方法。
【請求項６】
前記方法はさらに、前記第一の生地層（３４０）の第一の縁部に並んで配置される第一の複数のタック（３６０，３６２）と、前記第一の生地層の第二の縁部に並んで配置される、対応する第二の複数のタック（３７０，３７２）と、によって複数のバンドルチャネル（３８０）を形成することを含み、
前記第一の複数のタックにおいて、連続するタックは、所定の距離だけ離隔し、
前記第二の複数のタックの各々は、前記第一の複数のタックにおいて対応するタックと位置合わせをされることを特徴とする、請求項１に記載の方法。
【請求項７】
前記第一及び前記第二のバンドル構造物（２３０，３３０）の各々は、少なくとも３０の糸（２２０）を含むことを特徴とする、請求項１に記載の方法。
【請求項８】
第一のキルティングステッチ線（１０２，３０２）の形成前に、複数のバンドルチャネル（３８０）が保持する複数のバンドル構造物の配置を少なくとも部分的に固定するように、前記複数のバンドルチャネル（３８０）が構成されて配置されることを特徴とする、請求項１に記載の方法。
【請求項９】
前記第一の生地層及び前記第二の生地層から構成される衣服は、パーカー（１００）、ズボン（１１０）、又は寝袋（１１６）のうちの少なくとも一つであることを特徴とする、請求項１に記載の方法。
【請求項１０】
前記第一の生地層及び前記第二の生地層から構成される衣服を着用したとき、前記第一のキルティングステッチ線（１０２，３０２）は概ね水平であり、前記バンドル構造物（２３０，３３０）の前記長手方向軸は概ね垂直であることを特徴とする、請求項１に記載の方法。
【請求項１１】
前記方法はさらに、前記第一の生地層（１０４０）と前記第二の生地層（１０５０）の中間の停滞空気の体積を増やすために、前記第一及び前記第二のバンドル構造物（１０３０）の各々を束ねることを含む、請求項１に記載の方法。
【請求項１２】
前記方法はさらに、
第一の生地層の一部（３４０，１０４０）と第二の生地層の一部（３５０，１０５０）とによって定義され、バンドルチャネル長手方向軸を含む、少なくとも１つの第一のバンドルチャネル（３８０）及び第二のバンドルチャネル（３８０）を形成することと、
前記第一のバンドル構造物が前記第一の生地層と前記第二の生地層の中間に配置されて、前記第一のバンドル構造物を前記第一のバンドルチャネル内で束ねるために、前記第一のバンドル構造物（２３０，３３０，１０３０）を前記第一のバンドルチャネル内で少なくとも部分的に保持することと、
前記第二のバンドル構造物が前記第一の生地層と前記第二の生地層の中間に配置されて、前記第二のバンドル構造物を前記第二のバンドルチャネル内で束ねるために、前記第二のバンドル構造物を前記第二のバンドルチャネル内で少なくとも部分的に保持することと、を含み、
前記第一のバンドル構造物の前記長手方向軸の少なくとも一部は、概ね前記第一のバンドルチャネル内で概ね蛇行しており、
前記第二のバンドル構造物の前記長手方向軸の少なくとも一部は、概ね前記第二のバンドルチャネル内で概ね蛇行していることを特徴とする、請求項１に記載の方法。
【請求項１３】
前記キルティングステッチ線（１０２，３０２）は、前記第一のバンドル構造物の長手方向軸及び前記第二のバンドル構造物の長手方向軸を横断して延びるキルティングステッチ線（１０２，３０２）であることを特徴とする、請求項１に記載の方法。
【請求項１４】
前記第一のキルティングステッチ線（１０２，３０２）は、前記第一及び前記第二のバンドル構造物（２３０，３３０）の双方を横断して延びることを特徴とする、請求項１に記載の方法。
【請求項１５】
前記第一のキルティングステッチ線からオフセットした第二のキルティングステッチ線（１０２，３０２）が、前記第一及び前記第二のバンドル構造物（２３０，３３０）の少なくとも一つと、前記第一及び前記第二の生地層（３４０，３５０）の少なくとも一つとを結びつけていることを特徴とする、請求項１４に記載の方法。
【請求項１６】
前記繊維（２２０）は、合成繊維であって、撚糸のコア（２２２）から延びる巻糸（２２４）を含むことを特徴とする、請求項１に記載の方法。
【請求項１７】
前記第一のキルティングステッチ線（１０２，３０２）は、前記第一及び第二のバンドル構造物（２３０，３３０）の双方を横断して延びることを特徴とする、請求項１に記載の方法。
【請求項１８】
請求項１に記載の方法を用いて製造された衣服であって、
前記第一のバンドル構造物及び前記第二のバンドル構造物における少なくともいくつかの繊維（２２０）の各々は、核糸（２２２）及び前記核糸から延びる巻糸（２２４）を含み、前記繊維（２２０）の前記巻糸（２２４）の一部は、前記第一のバンドル構造物の核糸（２２２）と、前記第二のバンドル構造物の核糸（２２２）と、の間の隙間を少なくとも部分的になくすことを特徴とする衣服。
【発明の詳細な説明】
【技術分野】
【０００１】
本出願は、その内容が本明細書に援用されている、２０１４年７月２９日に出願された米国特許出願第14/446,116号の優先権を主張する。
【０００２】
本発明は一般的に、固定断熱材、より具体的には寒冷地衣服内に適用する固定断熱紡績撚糸に関する。
【背景技術】
【０００３】
グースダウンのような天然繊維は、よくジャケット、パーカー、パンツ、寝袋、ミトン、及び寒冷地活動のために使用される他の衣服に、断熱層を形成するために用いられる。寒冷地活動は、登山、スキー、スノーボード、スノーモービル、及びウィンターキャンプに限られない。ダウンは、単位質量当たりの断熱性がよく、形状及びロフトの維持に優れ、高い圧縮性、快適性、及び軽量性を有する。
【０００４】
しかしながら、一度濡れた後は、ダウン衣服の断熱能力が大幅に減少する。また、ダウン繊維内に水分が閉じ込められ得る。したがって、ダウン衣服が一度濡れると、ダウン繊維を乾燥させてその断熱能力を回復させるために、非常に多くの時間を要する。さらに、石鹸や洗剤のような典型的な洗浄剤でダウン衣服を洗浄するべきではない。一般的に、典型的な洗浄剤は、繊細なダウン繊維にとって非常に厳酷である。ダウンは比較的高価な断熱素材でもある。
【０００５】
これらの欠点に対処すべく、断熱層を設けるために、合成繊維を様々な種類の寒冷地衣服に用いている。合成繊維は、より安価で、ある程度のレベルの水分に暴露された際にも大部分が断熱特性を保持し、ダウンより早く乾燥する傾向にある。しかし、合成繊維は独自のトレードオフを含んでいる。
【０００６】
例えば、断熱能力が類似するため、合成繊維はダウンより重くなる傾向にある。また、合成繊維は、圧縮の繰り返しサイクルからのブレークダウンが、ダウンより早い傾向にある。寒冷地衣服はしばしば、圧縮されてスタッフサックやバックパックに詰められるため、合成衣服の寿命はダウン衣服より短い傾向にある。さらに、合成断熱材は、典型的に、合成綿素材から構成される。これらの合成綿素材は、ダウンで満たされた衣服と同等の快適さを、着用者にもたらさない可能性がある。加えて、十分に固定されていないダウンの断熱層は移動する可能性がある。このような移動は、衣服内に、「冷たい」スポットだけでなく、過度に「膨らんだ」スポットをもたらす可能性がある。以下の開示が提供されるのは、これらの問題及び他の問題のためである。
【発明の概要】
【０００７】
本開示の様々な方法は、複数の繊維を含む断熱材を固定する方法であって、複数の繊維の各々が長手方向軸を含む。いくつかの実施形態では、この方法は、複数の繊維の少なくとも一部をバンドル構造物内に配置することを含む。繊維は合成繊維であってよい。バンドル構造物は、複数の繊維の一部と、バンドル構造物内に含まれている繊維の各々の長手方向軸と概ね平行な長手方向軸と、を含む。
【０００８】
この方法は、第一の生地層の一部と第二の生地層の一部とによって定義される少なくとも１つのバンドルチャネルを形成することを含んでよい。バンドルチャネルはバンドルチャネル長手方向軸を含む。この方法はさらに、バンドル構造物を保持することを含んでよい。いくつかの実施形態では、バンドル構造物を少なくとも１つのバンドルチャネル内で保持してよい。バンドル構造物は、第一の生地層と第二の生地層の中間に配置される。バンドル構造物の長手方向軸は、バンドルチャネル長手方向軸と概ね平行である。この方法はさらに、バンドル構造物の長手方向軸を概ね横断する第一のキルティングステッチ線を形成することを含んでよい。第一のキルティングステッチ線により、バンドル構造物が、第一の生地層と第二の生地層の少なくとも１つに結びつけられる。バンドル構造物は、少なくとも第一のキルティングステッチ線によって、長手方向及び短手方向に固定される。
【０００９】
様々な実施形態において、少なくとも１つのバンドルチャネルは、バンドルチャネル長手方向軸と概ね平行な複数のバンドルチャネルステッチ線によって形成され、複数のバンドルステッチ線は、第一の生地層と第二の生地層とを結びつける。この方法はさらに、第二のキルティングステッチ線を形成することを含んでよい。複数の繊維のロフト又は、第一の生地層と第二の生地層から構成される衣服の耐久性のうち、少なくとも１つに基づく所定の距離だけ、第一のキルティングステッチ線から第二のキルティングステッチ線を離隔して設ける。少なくとも一つの実施形態では、所定の距離は２インチから４インチである。いくつかの実施形態では、第一のキルティングステッチ線は、バンドル構造物の長手方向軸と概ね直交する。
【００１０】
この方法はさらに、第一の複数のタックによって複数のバンドルチャネルを形成することを含んでよい。第一の複数のタックは、第一の生地層の第一の縁部に隣接して配置される。対応する第二の複数のタックは、形成して、第一の生地層の第二の縁部に隣接して配置してよい。第一の複数のタックにおいて、連続するタックは、所定の距離だけ離隔する。第二の複数のタックの各々は、第一の複数のタックにおいて対応するタックと位置合わせをされる。
【００１１】
いくつかの実施形態では、第一のキルティングステッチ線の形成前に、少なくとも１つのバンドルチャネルが保持した複数のバンドル構造物の配置を少なくとも部分的に固定するように、当該少なくとも１つのバンドルチャネルが構成されて配置される。少なくとも２０のバンドル構造物をバンドルチャネル内で保持する。好ましい実施形態では、バンドルチャネルは少なくとも３０のバンドル構造物を保持する。
【００１２】
少なくとも一つの実施形態において、この方法はさらに、第一の生地層と第二の生地層の中間の停滞空気の体積を増やすためにバンドル構造物を束ねることを含む。この方法は、少なくとも１つのバンドルチャネル内で、バンドル構造物を保持することを含んでよい。保持されたバンドル構造物は、第一の生地層と第二の生地層の間に配置される。バンドル構造物は、少なくとも１つのバンドルチャネル内で束ねられてよい。バンドル構造物の長手方向軸の少なくとも一部は、少なくとも１つのバンドルチャネル内で概ね蛇行する。少なくとも一つの実施形態において、バンドル構造物はバンドルチャネル内で概ね平坦である。
【００１３】
衣服は、少なくとも一つの好ましい実施形態において、パーカーである。他の実施形態においては、衣服はズボンや寝袋であってよい。衣服を着用したとき、第一のキルティングステッチ線は概ね水平であってよく、バンドル構造物の長手方向軸は概ね垂直である。
【００１４】
本開示のいくつかの実施形態では、内層、外層、第一のキルティングステッチ線、第二のキルティングステッチ線、及び内層と外層との中間に配置された断熱層を含む断熱衣服を対象とする。例えば、内層は第一の層であってよく、外層は第二の層であってよい。内層はライニング材であってよい。いくつかの実施形態において、外層はシェル材である。断熱層はバンドル構造物を含んでよい。バンドル構造物は、少なくとも一つの実施形態において、複数の撚糸を含む。各撚糸は、長手方向軸を含む。バンドル構造物は、内層と外層との中間に配置されるように保持される。いくつかの実施形態において、バンドルチャネルがバンドル構造物を保持してよい。撚糸の長手方向軸は、バンドルチャネル長手方向軸と概ね平行である。第一のキルティングステッチ線及び第二のキルティングステッチ線は、少なくとも複数の撚糸のロフトに基づいた所定の距離だけ離れている。内層は、タック及び/又はステッチによって外層と結びついてよい。
【００１５】
さらに他の実施形態では、複数の撚糸を含む断熱衣服が対象とされてもよい。複数の撚糸の各々が長手方向軸を含む。衣服は、少なくとも複数の撚糸の一部をバンドル構造物内で束ねることを含む過程によって製造されてよい。バンドル構造物は、複数の繊維の一部と、その含まれている繊維の各々の長手方向軸と概ね平行な長手方向軸と、を含む。
【００１６】
この方法はさらに、少なくとも１つのバンドルチャネルを形成することを含んでよい。少なくとも１つのバンドルチャネルは、衣服の内層の一部と衣服の外層の一部によって定義される。バンドルチャネルは、バンドルチャネル長手方向軸を含む。この方法は、少なくとも１つのバンドルチャネル内でバンドル構造物を保持することを含む。バンドル構造物は、衣服の内層と外層の中間に配置される。バンドル構造物の長手方向軸は、バンドルチャネル長手方向軸と概ね平行である。この方法はさらに、第一のキルティングステッチ線を形成することを含む。第一のステッチ線は、バンドルチャネル長手方向軸を概ね横断する。第一のキルティングステッチ線は、衣服の内層を外層と結びつける。バンドル構造物は、少なくとも第一のキルティングステッチ線によって、長手方向及び短手方向に固定される。
【００１７】
本発明の好ましい実施例および代替の実施例は、以下の図面を参照して以下に詳細に記載する。
【図面の簡単な説明】
【００１８】
【図１Ａ】本明細書に開示される様々な実施形態と一致する方法で固定された断熱材を含む断熱パーカーを示す。
【図１Ｂ】本明細書に開示される様々な実施形態と一致する方法で固定された断熱材を含む断熱ズボンを示す。
【図１Ｃ】本明細書に開示される様々な実施形態と一致する方法で固定された断熱材を含む「ミイラ」スタイルの断熱寝袋を示す。
【図２Ａ】図１Ａ、図１Ｂ、及び図１Ｃに示すような衣服の中で、断熱素材として用いられる撚糸を示す。撚糸は、本明細書に開示される様々な実施形態に一致する方法で固定されてよい。
【図２Ｂ】図２Ａに示すような撚糸を複数含む断熱バンドルを示す。そのバンドルは、図１Ａ、図１Ｂ、及び図１Ｃに示すような衣服内で断熱材として用いられ、本明細書に開示される様々な実施形態に一致する方法で固定される。
【図３Ａ】図１Ａ、図１Ｂ、及び図１Ｃに示すような断熱衣服の一部を示す。その断熱衣服が有する断熱材は、本明細書に開示される様々な実施形態に一致する方法で固定される。
【図３Ｂ】図１Ａ、図１Ｂ、及び図１Ｃに示すような断熱衣服の一部を示す。その断熱衣服の一部は、図２Ｂに示すような断熱バンドルを表示するための透明な切欠き窓を含む。この断熱バンドルは、本明細書に開示される様々な実施形態に一致する方法で固定された。
【図３Ｃ】複数の断熱繊維を固定する方法を示す。この方法は本明細書に開示される様々な実施形態に一致する方法である。
【図４】複数の断熱バンドルの実施形態を明示するための複数の透明な切欠き窓を含む断熱衣服の、他の部分を示す。このバンドルは、本明細書に開示される様々な実施形態に一致する方法で固定される。
【図５】断熱バンドルの他の実施形態を明示するための複数の透明な切欠き窓を含む断熱衣服の、さらに他の部分を示す。このバンドルは、本明細書に開示される様々な実施形態に一致する方法で固定される。
【図６】断熱層のさらに他の実施形態を明示するための複数の透明な切欠き窓を含む断熱衣服の、さらに他の部分を示す。この断熱層は、本明細書に開示される様々な実施形態に一致する方法で固定される。
【図７】本明細書に開示される様々な実施形態に一致する方法で固定された断熱材を明示するための切欠き窓を含む、パーカーの一部を示す。
【図８】好ましい断熱密度を、キルティングステッチ線の間隔の関数として示すグラフである。
【図９Ａ】複数の断熱繊維を固定する代替方法を示す。この方法は、本明細書に開示される様々な実施形態に一致する方法である。
【図９Ｂ】複数の断熱繊維を固定する他の代替方法を示す。
【図１０Ａ】バンドルチャネルによって保持されたバンドルの一実施形態の半概略側面図である。
【図１０Ｂ】バンドルチャネルによって保持されたバンドルの代替的実施形態の半概略側面図である。
【発明を実施するための形態】
【００１９】
本発明の定義を容易にするため、多くの用語を以下に定義する。本明細書で定義される用語は、本発明に関連する分野の当業者によって一般的に理解されている意味を有する。単数の用語は、単一の物のみを指すことを意図するものではなく、一般的な種類を含み、その一般的種類の具体例が説明に用いられてもよい。本明細書の用語は本発明の具体的態様を記述するために用いられるが、具体的態様の使用方法は、特許請求の範囲で概説される場合を除き、本発明を限定するものではない。
【００２０】
図１Ａは、本明細書で開示される様々な実施形態と一致する方法で固定された断熱材を有する断熱パーカー１００、又は断熱ジャケットを示す。断熱パーカー１００等、断熱衣服の様々な実施形態は、少なくとも内生地層と外生地層とを含む。糸等の断熱素材は、内生地層と外生地層の間に配置される。より具体的には、断熱素材は、断熱パーカー１００の断熱層を形成してもよい。断熱層は、内層の表面と外層の表面との中間に配置されるのと同様に、内生地層の表面に隣接して配置されてもよく、外生地層の表面に隣接して配置されてもよい。
【００２１】
本開示を通して、内生地層及び外生地層（又は、内層及び外層）という用語が用いられるが、内層とは、衣服の最も内側の層のことでなくてもよい。同様に、外層は、衣服の最も外側の層のことでなくてもよい。むしろ、これらの用語は、相対的な意味で適用される。内層は外層に比べて、着用者の側に、より近接している。
【００２２】
断熱パーカー１００は、キルティングパターンを形成するステッチ線１０２を含む。様々な実施形態において、キルティングステッチ線１０２は、内生地層と外生地層をキルティングステッチ線１０２に沿って結び付け、そうでなければ、内生地層と外生地層をキルティングステッチ線１０２に沿って貼り付ける。そのような方法で内生地層と外生地層を結びつけることで、２つの生地層の間に、バッフルやチャネルが生成される。図１Ａに示すように、断熱パーカー１００は、複数のチャネルを生成する複数のキルティングステッチ線１０２を含む。
【００２３】
キルティングステッチ線１０２は一般的に、お互いに平行であり（生地層が概して、平面内に平坦に配置される場合）、好ましくは等間隔であり、均一なチャネルを形成する。図３Ｂ乃至７に関する説明で明らかになるように、キルティングステッチ線１０２は、好ましくは、断熱素材の長手方向軸を概ね横断するように方向付けられている。キルティングステッチ線１０２の横断向きによって、断熱素材を安定させ、維持し、そうでなければ固定する。また、断熱パーカー１００の着用時にキルティングステッチ線１０２が重力方向に対して横断するように、キルティングステッチ線１０２は概して水平である。重力に対して横断するようにキルティングステッチ線１０２を方向付けすることにより、断熱素材の固定性が向上する。
【００２４】
いくつかの実施形態では、断熱パーカー１００は、ジッパー１０４又は他のファスナーを含む。他のファスナーは、例えばボタン、スナップ、フックとループの材料、及びパーカー１００の前面中央の開口部を固定するための同種類のもの等である。他の実施形態では、ファスナーを含まないが、着用者の頭部と肩部とを引っ張ることで着脱する「プルオーバー」スタイルでもよい。また、他の実施形態では、「フード」スタイルのパーカーでもよい。フードスタイルのパーカーは、着用者の頭部に対する断熱性を向上させることができる。様々な実施形態において、断熱パーカー１００は、「ふっくらとした」スタイルのジャケットやパーカーである。
【００２５】
断熱パーカー１００はポケット１０６を含む。いくつかの実施形態は、ジッパー又はポケット１０６をしっかりと閉めるための他のファスナーを含んでよい。断熱パーカー１００はさらに、登山やクライミング、又はアセンブリを操縦する操作レバースタイルによる乗り物の運転といった活動中に、快適性を向上させる多関節アーム１０８を含む。この種の活動に参加する人は、自らの胴体部分の気候を制御するために、断熱パーカー１００のような断熱衣服をよく使用する。図示しないが、いくつかの実施形態では、精力的な活動中に通気を行うための、空気穴を含んでよい。任意の適正なファスナーで空気穴の開閉を行ってもよい。
【００２６】
図１Ｂは、本明細書で開示される様々な実施形態と一致する方法で固定された断熱材を含む断熱ズボン１１０を示す。断熱ズボン１１０は、複数のキルティングステッチ線１１２を含む。図１Ａの断熱パーカー１００と同様に、キルティングステッチ線１１２は、断熱ズボン１１０に含まれている断熱素材を固定するために用いられる。ウエスト引締め手段１１４は、着用者のウエスト周りで断熱ズボン１１０を固定しやすくするために、断熱ズボン１１０に含まれてもよい。
【００２７】
図１Ｃは、本明細書で開示される様々な実施形態と一致する方法で固定された断熱材を含む「ミイラ」スタイルの断熱寝袋１１６を示す。図１Ａの断熱パーカー１００、及び図１Ｂの断熱ズボン１１０と同様に、キルティングステッチ線１１８は、断熱寝袋１１６に含まれている断熱素材を固定するために用いられる。
【００２８】
図２Ａは、図１Ａ、図１Ｂ、及び図１Ｃに示すような衣服の中で、断熱素材として用いられる撚糸２２０である。撚糸２２０は、本明細書に開示される様々な実施形態に一致する方法で固定されてよい。
【００２９】
いくつかの実施形態において、撚糸２２０は紡績撚糸である。撚糸２２０は、羊毛、ポリエステル、ナイロン、又はレーヨンに限らず、様々なタイプの天然繊維又は合成繊維から作られてよい。様々な実施形態において、繊維は、抗菌性、疎水性、又は耐燃性等の機能を追加するために用いられる。本開示では限定していないが、撚糸２２０は、好ましくは合成紡績撚糸である。撚糸２２０は、核糸２２２と、多数の巻糸及び/又は渦糸２２４と、を含む。
【００３０】
図２Ｂは、図２Ａに示す撚糸２２０のような撚糸を複数含む、撚糸の断熱バンドル２３０を示す。バンドル２３０は、図１Ａ、図１Ｂ、及び図１Ｃに示すような衣服の中で断熱材として用いられ、本明細書に開示される様々な実施形態に一致する方法で固定される。好ましい実施形態では、バンドル２３０に含まれる撚糸は、バンドル２３０のボディを形成するために緩んでいる。
【００３１】
図２Ｂは、紡績撚糸バンドル２３０の中に、複数の撚糸２３６をバンドリングすることを示す。いくつかの実施形態において、このバンドリングは、ボディをふわふわした繊維とするとともに、断熱能力を向上させる。その結果として、断熱材は、柔軟で圧縮性があり、ダウンの断熱材のように感じるほどの品質を有する。さらに、圧縮された場合、例えば、この繊維を使用している衣服がスタッフサックの中で圧縮されたような場合には、圧縮力から解放された後、このふわふわした繊維は概して元のサイズ及び密度に戻る。
【００３２】
バンドル２３０に示すように、図２Ａの巻糸及び/又は渦糸２２４のような巻糸及び/又は渦糸は、拡がって、バンドル２３０に含まれるそれぞれの核糸の間の隙間を少なくとも部分的に満たしてよい。これらの隙間を少なくとも部分的に満たすことで、巻糸及び/又は渦糸によって、そのようなバンドルから構成された衣服において、そのような衣服の着用者を断熱する能力を向上させると同様に、本体及び/又はロフトを増加させる。
【００３３】
図８との関連で詳細に説明するように、所望のレベルの断熱性、圧縮性、寿命、及び「ふわふわ感」を得るために、バンドル密度を変更してもよい。構成される衣服の予想される用途に合わせて、これらの様々な特性を調整してよい。バンドル２３０は、比較的低い密度を有する、撚糸のバンドルである。衣服における、断熱性、圧縮性、寿命、及び「ふわふわ感」の所望のレベルに依存して、バンドル密度を、バンドル２３０の密度から増やしてもよく、減らしてもよい。
【００３４】
図３Ａは、図１Ａ、図１Ｂ、及び図１Ｃに示すような断熱衣服の一部３００を示す。この断熱衣服が有する断熱材は、本明細書に開示される様々な実施形態に一致する方法で固定される。衣服部分３００は、複数のキルティングステッチ線３０２を含む。複数のキルティングステッチ線３０２は、チャネル３２６を作るバッフルを形成する。衣服の外生地層が示されている。
【００３５】
図３Ｂは、図１Ａ、図１Ｂ、及び図１Ｃに示すような断熱衣服の一部３００を示す。断熱衣服部分３００は、複数の断熱バンドルを拡大観察するための透明な切欠き窓３２８と共に示されている。複数の断熱バンドルは、衣服部分３００の内生地層と外生地層との中間に配置されたバンドル３３０を含む。バンドル３３０は、２以上の撚糸を有してよく、好ましくは、少なくとも２０の撚糸を有してよい。多かれ少なかれ、撚糸は、特定の衣服に所望される断熱特性に依存して、各バンドルに用いられている。断熱バンドル３３０は、本明細書に開示される様々な実施形態に一致する方法で固定される。バンドルを固定する一実施形態を、図３Ｃに多少概略的に示す。本明細書に開示される実施形態に一致する代替方法を、多少概略的に、図９Ａ及び図９Ｂに示す。
【００３６】
衣服部分３００は、複数のキルティングステッチ線３０２を含む。複数のキルティングステッチ線３０２は、ステッチ線バッフルの間に、チャネル３２６を形成する。衣服の外生地層が示されている。図４乃至図７に示すような、衣服の様々な実施形態は、衣服の内層と外層との中間に断熱層を形成するための複数のバンドルを含む。
【００３７】
バンドル３３０の長手方向軸（バンドル３３０に含まれる撚糸の長手方向軸と同一）は、キルティングステッチ線３０２を概ね横断する。図３Ｂで示すように、いくつかの実施形態において、バンドル３３０とキルティングステッチ線３０２とが相対的に横断する向きは、バンドル３３０内の撚糸の長手方向軸とキルティングステッチ線３０２との間で略９０度の角度を形成する直交又は垂直の向きである。他の実施形態では、それほどに制限されず、相対的な向きは、撚糸の長手方向軸とキルティングステッチ線３０２との間の角度を、８０°、６０°、４５°、３０°のような鋭角や、他のそのような角度に形成してよい。
【００３８】
この横断する向きは、バンドル３３０に含まれる各撚糸と同様に、（撚糸によって定義されたように）長手方向及び短手方向の両方においてバンドル３３０を固定する。（１）断熱素材は、衣服部分３００の内側表面と外側表面との中間に配置されるため、（２）キルティングステッチ線３０２が、衣服部分３００の内層と外層とを結びつけるため、及び、（３）断熱素材の長手方向軸がキルティングステッチ線３０２を横断するため、断熱素材の位置が固定される。
【００３９】
実施形態が制限される必要はないが、好ましい実施形態では、衣服を着用しているとき、キルティングステッチ線３０２は水平に配向され、バンドル３３０は垂直に配向される。水平なステッチ線３０２は、好ましくは、垂直方向に均等に配置される。実施形態は、連続した複数のキルティングステッチ線３０２間の任意の特定の離隔距離に制限されない。しかしながら、好ましい実施形態では、連続した複数のキルティングステッチ線の間隔は、概して２〜４インチである。
【００４０】
図８との関連で詳細に説明するように、複数のキルティングステッチ線３０２間の間隔は、隣り合うバンドル３３０内に含まれる撚糸の密度の関数に応じて変化する。バンドル３３０に含まれる撚糸の密度は、構成される衣服の所望される特性に基づいて変更してもよい。いくつかの実施形態では、一つのバンドルに含まれる撚糸の数の変更によってバンドル密度を変更したり、共に詰められている個々の撚糸同士の近接性及びバンドル同士の近接性の変更によってバンドル密度を変更したりしてよい。高密度のバンドルを形成するために、個々の撚糸を他の撚糸と組んだり結んだりしてもよい。図３Ｃに関して詳細に説明するように、衣服層は、タック３６０、３６２、３７０、及び３７２のように、タックやステッチを含んでよい。
【００４１】
図３Ｃは、複数の断熱繊維を固定する方法を示す。この方法は、本明細書に開示される様々な実施形態に一致する方法である。これらの方法や他の方法は、断熱衣服３００の一部に含まれて、断熱衣服の構成に用いられてよい。この方法は、本明細書に開示される様々な実施形態に一致する方法である。
【００４２】
図３Ｃ内に示されている方法は、（粗い螺旋として概略的に示される）断熱バンドル３３０のような断熱バンドルの均等な配置を許容する。粗い螺旋として示されているが、バンドル３３０のようなバンドルそれぞれの中に含まれる少なくとも一部の撚糸は、図２Ａの巻糸２２４のような繊維状の巻糸を含む。また、この方法は、キルティングステッチ線を縫う前に、バンドルの配置を一時的に固定することを許容する。ここで、図３Ｃでは、２本の平行なキルティングステッチ線として点線３０２を示している。図３Ｃに示される図は、キルティングステッチ線を縫う前のものである。点線３０２は、参照のみのために示されており、バンドルをレイアウトして均等に配置した後に、キルティングステッチ線が縫われる可能性のある位置を示す。
【００４３】
断熱衣服の一部３００は、内生地層３４０及び外生地層３５０を含む。好ましい実施形態において、断熱衣服の一部３００は複数のタックを含む。タックはステッチングを含んでよい。例えば、タック３６０及び３６２のようなタックは、内生地層３４０及び外生地層３５０のうち少なくとも一つの第一の縁部に沿って、概ね一定の間隔で配置されてよい。また、タック３７０及び３７２のようなタックは、内生地層３４０及び外生地層３５０のうち少なくとも一つの第一の縁部と概ね平行な第二の縁部に沿って、概ね等間隔に配置されてよい。第一の縁部及び第二の縁部に沿ったタックは概ね位置合わせされているため、第一の縁部に沿った第一のタックと、第二の縁部に沿った、対応する第二のタック（例えば、タック３６０と３７０それぞれ）との間の軸は、第一の縁部に沿った第三のタックと、第二の縁部に沿った、対応する第四のタック（例えば、タック３６２と３７２それぞれ）との間の他の軸と概ね平行である。これらの軸の各々は、対応するタック３６０/３７０と３６２/３７２との間の点線で示される。ここで、これらの点線は、ステッチ線でなく、むしろ、点線３０２と同様に、例示のみを目的として示されていることに留意すべきである。
【００４４】
好ましい実施形態において、各タックは、内生地層３４０と外生地層３５０とを結びつけるステッチを含む。図３Ｃに示すように、各タックに含まれるステッチ線は、生地層の第一の縁部及び第二の縁部に概ね直交してよい。タックステッチ線は、最終的に縫われる可能性のあるキルティングステッチ線と概ね直交する。このような２つのキルティングステッチ線の位置は、図３Ｃの点線３０２として示される。各タックステッチ線の長さは、衣服部分３００の要求に応じて、０．５ｍｍから２０．０ｍｍの間であればよい。一つの好ましい実施形態では、タックステッチ線の長さは、概ね５ｍｍである。しかしながら、他の実施形態ではそれほどに制限しておらず、ステッチ線の任意の長さをタックのために用いてよい。一つの好ましい実施形態では、バンドル３３０のようなバンドルを、整列させて均一に配置するために、タックがガイドを有する。
【００４５】
複数のタックが、生地層の第一の縁部及び第二の縁部のそれぞれにおいて開放されているバンドルチャネルを形成する。例えば、タック３６０、３６２、３７０、及び３７２は、バンドルチャネル３８０を形成する。タック３６０と３７０との間に示されている点線や、タック３６２と３７２との間に示されている点線によって、バンドルチャネル３８０のおおよその境界線は示される。タックは一定の間隔で配置されて、他方の生地の縁部の対応するタックと位置合わせされるため、バンドルチャネルは概ね均等な幅となる。対応するタックは、ステッチ線の長さに沿って、内生地層３４０と外生地層３５０を結びつける。
【００４６】
いくつかの実施形態では、ステッチ線又はタックは、バンドルチャネルの側の長さに達しないので、連続するバンドルチャネルは互いに完全に孤立しているわけではない。むしろ、図３Ｃに示すように、タックのステッチ線は、バンドルチャネルの側の長さの一部においてのみ、連続するバンドルチャネルを孤立させる。例えば、タック３６０、３６２、３７０、及び３７２は、タック３６０、３６２、３７０、及び３７２の長さのみによって、両側に連続するバンドルチャネルからバンドルチャネル３８０を孤立させる。連続するバンドルチャネルの体積や境界は、お互いに完全に孤立しているわけではないため、バンドルチャネルは仮想バンドルチャネルであってよい。タックの主目的は、キルティングのために、所定の位置にバンドルを保持することである。そのキルティングは、好ましい長期安定をもたらす。
【００４７】
バンドルチャネル３８０のような、これらのバンドルチャネルのそれぞれが、バンドル３３０のような複数のバンドルを保持してよい。いくつかの実施形態では、バンドル３３０は、バンドルチャネルの一方の端部の開口部を通して、対応するバンドルチャネル内で保持される。バンドルの均等な配置を確実にするため、概ね等しい数のバンドルが、各バンドルチャネルによって保持されてよい。好ましい実施形態では、一つのバンドルが一つのバンドルチャネルによって保持される。各バンドルチャネルの軸は、各バンドルの軸と概ね平行である。各バンドルチャネルの軸は、キルティングステッチ線３０２によって形成されるチャネル３２６と概ね直交してよい。
【００４８】
タックと、タックによって形成されたバンドルチャネルは、衣服部分３００のあらゆる場所で、断熱バンドルの均等な配置を許容する。いくつかの実施形態では、生地縁部に沿った連続するタック間の距離（つまり、各バンドルチャネルの幅）は、１〜２インチである。少なくとも一つの好ましい実施形態において、各バンドルチャネルの幅は、おおよそ１．５インチである。しかしながら、他の実施形態ではそれほどに制限しておらず、連続するタックの離隔距離は、衣服での要求に応じて変更してよい。好ましい実施形態では、およそ３０の撚糸が一つのバンドルを形成する。各バンドルチャネルは、３０の撚糸を含む一つのバンドルを保持する。しかしながら、他の実施形態ではそれほどに制限しておらず、バンドル当たりの撚糸の密度は、バンドルチャネル当たりのバンドル密度と同様に、衣服での要求に応じて変更してよい。
【００４９】
例示の目的のために、図３Ｃでは、タックによって形成されたいくつかのバンドルチャネルによって保持されている単一のバンドルを示すため、内生地層３４０を透明としている。対応するバンドルチャネル内に半ば挿入されるバンドル３３０が示されている。矢印は、挿入方向を示す。いくつかの実施形態において、バンドルは、第一の生地縁部に沿うバンドルチャネル開口部に沿って、内生地層３４０と外生地層３５０の中間で保持される。バンドルは、第二の生地縁部に沿ったバンドルチャネル開口部を通して、バンドルチャネルからわずかに出てもよい。バンドルの露出端部は、衣服の縁部を仕上げる前に、生地と共に均等に切り取られてよい。
【００５０】
バンドルチャネル３８０を含む各バンドルチャネルが、適切な数の束ねられた撚糸を保持した後、キルティングステッチ線３０２は、バンドルチャネルを横断して縫われて、チャネル３２６を形成してよい。タックやステッチによって、少なくとも部分的にバンドルチャネルをとどめて移動させないようにするため、及び、内生地層３４０と外生地層３５０を少なくとも部分的に結びつけるため、バンドルの短手方向の配置は、キルティングステッチ線３０２を縫う前及びキルティングステッチ線３０２を縫う間に、少なくとも部分的に固定される。タック及びバンドルチャネルによる、このような固定は、キルティングステッチ線を縫う前のバンドルの均一な密度を大幅に乱すことなく、衣服の素材を取り扱うこと及び/又は輸送することを許容する。少なくとも一つの実施形態において、タックは一時的なタックである。このような実施形態において、キルティングステッチ線によりバンドルが固定された後に、タックを取り除いてよい。例えば、キルト層の大きなシートのタックされた縁部を切り取ってよい。
【００５１】
ステッチ線は、タック機構の一例に過ぎない。代替の実施形態において、他のタック機構が用いられてよい。例えば、内生地層３４０と外生地層３５０との対応する部分を繋ぐために、粘着性のエポキシや樹脂など、“ねばねばした”物質や“べとべとした”物質を、内生地層３４０又は外生地層３５０のうちの少なくとも一つが有する領域に塗布してもよい。ステッチ線と似た方法による、少なくとも一時的に内生地層と外生地層とを繋ぐ任意の機構は、タックとして用いられてよい。
【００５２】
バンドル内に撚糸が構成される密度は、断熱性、圧縮性、耐久性、及び「ふわふわ感」の所望のレベルのような、構成される衣服の所望の特性に基づいて決定される。バンドルが内生地層３４０と外生地層３５０との中間に位置する場合、断熱撚糸の層は、内生地層３４０の内側表面と外生地層３５０とに支えられている。そして、撚糸の層の密度は、隣接する撚糸間の平均間隔、及び撚糸バンドル同士の間隔に依存する。
【００５３】
バンドルチャネルがすべてのバンドルを保持した後、バンドルが均等に配置されるように、内層と外層とを結びつける第一のキルティングステッチ線が縫われる。様々な実施形態において、第一のキルティングステッチ線は、撚糸及び/又はバンドルの長手方向軸を横断する。好ましい実施形態では、第一のキルティングステッチ線は、図３Ｂ及び図３Ｃに示すように、撚糸の長手方向軸に対して直交する。代替の実施形態では、撚糸のバンドルは、バンドルの反対側にある他方の層の少なくとも一部がステッチを有していない状況下で、衣服の領域内の一つの層にのみ、縫われてよい。
【００５４】
第二のキルティングステッチ線は、縫われて、第一のキルティングステッチ線と概ね平行に、かつ第一のキルティングステッチ線から所定の距離だけ離隔して配置される。図８に関して詳細に説明するように、連続してかつ平行なキルティングステッチ線の間の所定の距離は、断熱素材の密度及び衣服の所望の耐久性に依存する。第二のキルティングステッチ線は、撚糸の長手方向軸を概ね横断する。
【００５５】
より多くのキルティングステッチ線が縫われ、その各々は、所定の距離だけ離隔しており、他のステッチ線と概ね平行であり、撚糸の長手方向軸を横断する。所望のキルティングステッチ線の数は、外層又は内層の第一の縁部及び第二の縁部の間の距離、及びそれぞれのステッチ線の間の所定の距離に依存する。いくつかの実施形態において、少なくとも一本のキルティングステッチ線は、内側表面又は外側表面の第一の縁部又は第二の縁部によって所定の距離だけ離隔する。
【００５６】
上述したいくつかの実施形態において、キルティングステッチ線を縫う前に、図３Ｂ及び図３Ｃの撚糸のバンドル３３０のような撚糸のバンドルを形成するために、撚糸のグループを短手方向に集める。バンドルを横断して縫われた各キルティングステッチ線は、バンドルの長手方向及び短手方向の安定性をもたらす。固定された断熱材から構成される衣服が寿命に至るまで、キルティングステッチ線によって断熱バンドルの均一な配置が維持される。また、図２Ａ及び図２Ｂに示すように、各々の撚糸は、繊維状の巻糸及び/又は渦糸２２４を含んでよく、巻糸及び/又は渦糸２２４は、衣服のロフト及び/又はボディを提供するのと同様に、バンドルの短手方向の安定性を向上させるとともに、断熱特性を増加させる。
【００５７】
いくつかの実施形態において、各キルティングステッチ線が縫われる前に、バンドル内の撚糸を短手方向に束ねる。このバンドリングは、バンドルチャネルがバンドルを保持する前に行ってよい。少なくとも一つの実施形態において、インターリーブバンドルを形成するために、撚糸のグループを組んだり結んだりしてよい。この場合、より高いレベルでの短手方向の安定性がもたらされる。少なくとも一つの実施形態では、図３Ｃに示すバンドルチャネル３８０のようなバンドルチャネルが保持するバンドルの各々に、おおむね３０の撚糸が含まれる。しかしながら、実際の数は、衣服に要求される特性に依存して変更してよい。好ましい実施形態では、１０〜２５ストランド/インチの断熱密度を有するバンドルが用いられる。少なくとも一つの好ましい実施形態では、断熱密度は２０ストランド/インチである。代わりに、断熱密度が、一平方メートル当たりのグラム数（GSM）で表現されてもよい。
【００５８】
図４は、二つの断熱バンドルの実施形態を明らかにする、二つの透明な切欠き窓４２８を含む、断熱衣服４００の他の部分を示す。二つの断熱バンドルは、各々バンドルチャネル内に配置されている。バンドルは多少概略的に示されており、各バンドルはおおよそ３０の撚糸を含む。図２Ａに示すように、各撚糸は、核や多数の巻糸及び/又は渦糸を含んでよい。バンドル４３０は、本明細書に開示される様々な実施形態に一致する方法で固定される。
【００５９】
衣服部分４００は、複数のキルティングステッチ線４０２を含み、複数のキルティングステッチ線４０２は、バッフルによって分割されたチャネル４２６を形成する。衣服の外層が示されている。４６０、４６２、４７０、及び４７２のような、タックやステッチは、バンドルの均一な配置を可能にするためのバンドルチャネルを形成するために用いられる。ここで、示されている二つのバンドルは、対応するバンドルチャネルに配置されていることに留意すべきである。バンドルチャネルはさらに、キルティングステッチ線４０２を縫う前に、バンドルの均一な配置の安定化をもたらす。ここで、チャネル４２６がバンドルチャネルを概ね横断していることに留意すべきである。
【００６０】
連続するバンドル間の短手方向の間隔は、衣服に要求される特性に応じて変更してよい。連続するタックの短手方向の間隔は、連続するバンドルにおける様々な短手方向の間隔に適応するように変更してよい。図４に示されるバンドル４３０は、バンドル３３０のように、図３Ｂに示されるバンドルよりも密度が高い。
【００６１】
図５は、断熱バンドル５３０の他の実施形態を明らかにする複数の透明な切欠き窓５２８を含む、断熱衣服のさらに他の部分５００を示す。複数の透明な切欠き窓５２８の各々は、断熱バンドル５３０のような断熱バンドルのいくつかを露呈する。断熱バンドル５３０のような断熱バンドルは、本明細書に開示される様々な実施形態に一致する方法で固定される。衣服部分５００は複数のキルティングステッチ線５０２を含み、複数のキルティングステッチ線５０２は、バッフルによって分割されたチャネル５２６を形成する。衣服の外層が示されている。図３Ｂ、３Ｃ、４、及び５には、様々な実施形態において、繊維密度やロフトを変更する方法が示されている。これらに示されるようなタックは、バンドルチャネルの形成に用いられてよい。
【００６２】
図６は、断熱層６３２のさらに他の実施形態を明らかにする、透明な切欠き窓６３８を含む、断熱衣服のさらに他の部分６００を示す。断熱層６３２は、本明細書に開示される様々な実施形態に一致する方法で固定される。図６において、バンドルは多少概略的に示されているが、各バンドルは複数の撚糸を含む。バンドルチャネルの形成に用いられるタックも、図６に示されている。
【００６３】
タックは図３Ｂ乃至６に示されているが、タックは、一時的なタックであってよいため、本明細書に開示される様々な実施形態から構成される衣服に現存しなくてよい。また、特定の衣服は、本明細書に開示される様々な実施形態に一致する方法で固定されるバンドルを含む断熱素材の様々な領域によって構成されてよい。衣服のこれらの領域は、バンドルを概ね均一に配置するために用いられるタックを含まなくてよい。したがって、衣服は、図３Ｂ乃至６に示すタックを含まなくてよい。
【００６４】
概略的にのみ示されているが、各撚糸は、図２Ａに示す撚糸のように、複数の巻糸及び/又は渦糸と同様にコアを含んでよい。撚糸がバンドル構造物内に配置されている場合、これらの巻糸及び/又は渦糸は、撚糸のコア間の隙間を少なくとも部分的に満たしてよい。図２Ｂとの関係で説明したように、この効果は、ボディ、ロフト、又は衣服の断熱能力を向上させる。
【００６５】
図７は、図１Ａに示されたパーカー１００のようなパーカー７００の一部を示す。パーカー７００は、本明細書に開示される様々な実施形態に一致する方法で固定された断熱材を露呈させる切欠き窓７２８を含む。透明窓７２８は、パーカー７００の内層の内側表面上に配置される。したがって、パーカー７００を着用した場合、透明窓７２８は、着用者の背中に隣接する。
【００６６】
パーカー７００は、複数のキルティングステッチ線７０２を含む。キルティングステッチ線７０２によって、複数の断熱バンドル構造物７３０の短手方向及び長手方向における安定性がもたらされる。本明細書における様々な図と同様に、図７において、バンドル７３０のようなバンドルが、概略的に示されている。バンドルは複数の紡績撚糸を含んでよい。紡績撚糸は、核と、多数の巻糸及び/又は渦糸と、を含んでよい。いくつかの実施形態において、パーカー７００は、締め付け手段７１８を含む。
【００６７】
図８は、好ましい断熱密度を、キルティングステッチ線の間隔の関数として示すグラフである。一般的に、キルティングステッチ線の間隔（キルト間隔）が広くなるほど、衣服のロフトが効果的に増大する。しかしながら、衣服の洗濯耐久性は、キルト間隔の増加に伴って減少する。
【００６８】
また、断熱素材の密度の増加は、衣服の耐久性を向上させ、密度の低い断熱バンドルに類似した能力を達成するためにキルティングの頻度を低下させる。好ましい実施形態では、図８のグラフは、衣服のロフトを向上させる、許容可能な洗濯耐久性を保持するための断熱材の異なる密度に対して、推奨するキルト間隔を示す。
【００６９】
上述したように、一つの好ましい実施形態において、キルティングステッチ線を縫う前に、バンドルを均一に配置し、少なくとも一時的にバンドルを固定するために、幅約１．５インチのバンドルチャネルが用いられる。バンドルは、約３０の撚糸を含んでよい。このような実施形態では、断熱密度は結果として、約２０ストランド/インチ（又は〜８７GSM）である。したがって、短手方向のキルティングステッチ線間の好ましい間隔は、約３インチである。しかし、図８に示すグラフは、他の好ましい実施形態において、代替の断熱密度、キルティングステッチ線の間隔、及び/又は様々なバンドルチャネルの幅を用いてよいことを説明している。
【００７０】
図９Ａは、複数の断熱繊維を固定する代替方法を示す。この方法は、本明細書に開示される様々な実施形態に一致する方法である。この方法を、断熱衣服の構成に用いてよい。
【００７１】
図９Ａに示す方法では、第一の素材９４０のビームと第二の素材９５０のビームが用いられる。第一の素材は、ライニング材のような内生地素材であってよい。第二の素材は、シェル材のような外素材であってよい。この方法ではさらに、紡績撚糸９３０のビームが用いられる。紡績撚糸９３０のビームは、バンドル構造物内に配置されてよい。第一の素材と第二の素材との間に挟まれた断熱紡績撚糸の層を作るために、ビームが回転する。
【００７２】
紡績撚糸素材のバンドルを固定するために、キルティングステッチ線９０２のようなキルティングステッチ線を縫ってよい。キルティングステッチ線９０２は、紡績撚糸のバンドル構造物を概ね横断してよい。自動キルティングヘッド９９０は、キルティングステッチ線９０２を縫うために用いられてよい。挟まれた素材が形成されてバンドルが固定された後、素材は切断されて様々な断熱衣服に組み込まれてよい。
【００７３】
図９Ｂは、断熱衣服の一部を含む、断熱衣服の構造における他の代替方法を示す。図９Ｂに示す方法において、バンドルチャネルは、第一の素材層９４０及び第二の素材層９５０の中に予め播種される。バンドルチャネルは、第一の素材層９４０及び第二の素材層９５０の中にキルティングステッチ線９０２を縫うことで形成される。バンドルはバンドルチャネル内に整列し、キルティングステッチ線はバンドルと概ね平行である。
【００７４】
図１０Ａは、図３Ｃのバンドルチャネル３８０のようなバンドルチャネルが保持するバンドル１０３０の一つの実施形態１０００の半概略側面図を示す。内生地層１０４０、外生地層１０５０、及び、図３Ｃのタック３６０、３６２、３７０、及び３７２のような複数のタック（不図示）により、バンドルチャネルは形成される。
【００７５】
バンドル１０３０を通って延びる水平線によって示される、バンドル１０３０の長手方向軸は、バンドルチャネルの軸と平行である。完成した衣服において、図３Ｂ及び図３Ｃのステッチ線３０２のようなバンドル固定ステッチ線（不図示）は、紙面に対して垂直である。ステッチ線は、バンドル１０３０の長手方向軸とバンドルチャネルの軸との両方に概ね直交する。実施形態１０００において、バンドル１０３０はバンドルチャネル内に概ね“平坦”に配置されている。バンドルチャネル内のバンドル１０３０の長手方向の長さの合計は、バンドルチャネルの長手方向の長さと概ね等しい。
【００７６】
図１０Ｂは、バンドルチャネルによって保持されたバンドル１０７０の代替的実施形態１０１０の半概略側面図を示す。図１０Ａの実施形態１０００に類似して、実施形態１０１０のバンドルチャネルは、内生地層１０４０、外生地層１０５０、及び複数のタック（不図示）によって、形成される。
【００７７】
実施形態１０１０のバンドル１０７０は、バンドルチャネル内に“束ね”られており、実施形態１０００に示すように平坦には配置されていない。むしろ、束ねた効果を形成するために、図１０Ｂのバンドル１０７０をバンドルチャネル内に押し込み、又は供給する。ここで、“束ねられた”場合には、バンドル１０７０の長手方向軸は、多少蛇行して、バンドルチャネルの軸と平行でないことには留意すべきである。
【００７８】
この束は、より長いバンドル１０７０がバンドルチャネルで保持されることを許容し、このような実施形態から構成された衣服の断熱値を増加させる。いくつかの実施形態において、束ねることは、バンドルチャネル内にバンドル１０７０を手送りすることで達成される。他の実施形態では、バンドルを、対応するバンドルチャネル内に送ることが自動化されている。束ねることは、固定用のキルティングステッチ線を縫う前、又はその間に、達成され得る。バンドル１０７０を束ねることによって、各バンドルチャネル内の停滞空気が増加し、したがって、完成した衣服の断熱能力がさらに向上する。バンドルを束ねることで、衣服の“ふわふわ感”も増加する。
【００７９】
図１０Ｂに示すように、バンドル１０７０の長手方向軸が紙面の平面内に残存するよう、バンドル１０７０の束が、側面によって定義される平面内に概ね存在する。いくつかの実施形態において、バンドル１０７０の長手方向軸のいくつかの部分が側面によって定義される平面に対して垂直であるように、少なくとも束の一部はこの平面に対して垂直である。
【００８０】
本明細書に開示され、請求されるすべての実施形態及び方法は、本開示に照らして、過度な実験なしに作成し実行することが可能である。本発明の衣服及び方法を、好ましい実施形態の観点から説明したが、本発明の概念、精神、及び範囲から逸脱することなく、本明細書に開示されている、組成物及び/又は方法や、方法のステップ、方法の一連のステップに対して変更してよいことは、当業者にとって明らかである。当業者にとって明らかな、すべてのこのような類似の置換及び変更は、添付の特許請求の範囲により定義される本発明の精神、範囲、及び概念内であるとみなされる。
【図１Ａ】
0006702937.tif 000002
【図１Ｂ】
0006702937.tif 000003
【図１Ｃ】
0006702937.tif 000004
【図２Ａ】
0006702937.tif 000005
【図２Ｂ】
0006702937.tif 000006
【図３Ａ】
0006702937.tif 000007
【図３Ｂ】
0006702937.tif 000008
【図３Ｃ】
0006702937.tif 000009
【図４】
0006702937.tif 000010
【図５】
0006702937.tif 000011
【図６】
0006702937.tif 000012
【図７】
0006702937.tif 000013
【図８】
0006702937.tif 000014
【図９Ａ】
0006702937.tif 000015
【図９Ｂ】
0006702937.tif 000016
【図１０Ａ】
0006702937.tif 000017
【図１０Ｂ】
0006702937.tif 000018